(57)【特許請求の範囲】
【請求項１】
車体側部に沿って前後方向に配置されたリヤフレーム（２２）の後端に立設した閉断面のリヤピラー（２１）を、平板状のガータパネル（１９）と、後方に開口する断面コ字状のガータスチフナ（２０）とを結合して構成するとともに、
車体後部の開口部（１２）の下縁となる開口下部フレーム（３０）を、平板状のリヤエンドパネル（１７）の上縁と、後方に開口する断面コ字状のリヤエンドパネルスチフナ（１８）とを結合して構成した車体後部構造であって、
前記リヤフレーム（２２）の後端部上面に、後方に開放する断面コ字状のリヤフレームガセット（２３）の下端を結合すると共に、そのリヤフレームガセット（２３）の上端に前記ガータスチフナ（２０）の下端を結合し、前記リヤピラー（２１）の閉断面と前記開口下部フレーム（３０）の閉断面とを接続部（３２）において相互に接続し、前記後方に開放するガータスチフナ（２０）は、前記接続部（３２）に臨むように配置されて前記リヤフレームガセット（２３）および前記開口下部フレーム（３０）間を接続する内壁（２０ｄ）を備えていて、この内壁（２０ｄ）に、前記開口下部フレーム（３０）の閉断面を拘束するバルクヘッド（３３）を結合したことを特徴とする車体後部構造。
【請求項２】
前記ガータスチフナ（２０）の前記内壁（２０ｄ）は前記リヤフレーム（２２）から前記開口下部フレーム（３０）に向かって車体内側に湾曲することを特徴とする、請求項１に記載の車体後部構造。
【請求項３】
前記リヤエンドパネル（１７）は上下方向に延びる縦稜線（１７ｂ）において屈曲しており、前記縦稜線（１７ｂ）の上方への延長線の近傍に前記バルクヘッド（３３）が配置されることを特徴とする、請求項１または請求項２に記載の車体後部構造。
【請求項４】
前記バルクヘッド（３３）の下端を車体内向きに折り曲げた下部フランジ（３３ｄ）と、前記内壁（２０ｄ）の上端を車体内向きに折り曲げた上部フランジ部（２０ｅ）とを結合したことを特徴とする、請求項１〜請求項３の何れか１項に記載の車体後部構造。
【請求項５】
前記バルクヘッド（３３）は、前記リヤピラー（２１）の閉断面の４面に結合される４個のフランジ（３３ａ，３３ｂ，３３ｃ，３３ｄ）を備えることを特徴とする、請求項１〜請求項４の何れか１項に記載の車体後部構造。
【請求項６】
前記リヤエンドパネル（１７）の上縁には、前記バルクヘッド（３３）の後部の形状に倣って後方に膨出する膨出部（１７ｊ）が形成されることを特徴とする、請求項１〜請求項５の何れか１項に記載の車体後部構造。
【発明の詳細な説明】
【技術分野】
【０００１】
本発明は、車体側部に沿って前後方向に配置されたリヤフレームの後端に立設した閉断面のリヤピラーを、平板状のガータパネルと断面コ字状のガータスチフナとを結合して構成するとともに、車体後部の開口部の下縁となる開口下部フレームを、平板状のリヤエンドパネルの上縁と断面コ字状のリヤエンドパネルスチフナとを結合して構成した車体後部構造に関する。
【背景技術】
【０００２】
自動車のリヤエンドパネルの左右方向外端にサイドリヤレインフォースを介してリヤピラーの下端を接続する際に、リヤエンドパネルとそれに接続したサイドリヤレインフォースの延設部との間に形成された空間を、リヤエンドパネルおよびサイドリヤレインフォースをパッチプレートで接続して閉断面に構成することで、リヤエンドパネルおよびリヤピラーの接続部の剛性を高めるものが、下記特許文献１により公知である。
【先行技術文献】
【特許文献】
【０００３】
【特許文献１】特開２０００−４３７５４号公報
【発明の概要】
【発明が解決しようとする課題】
【０００４】
ところで、リヤフレームの後端に立設されるリヤピラーをガータパネルとガータスチフナとを結合して閉断面に構成し、車体後部の開口部の下縁となる開口下部フレームをリヤエンドパネルとリヤエンドパネルスチフナとを結合して閉断面に構成し、前記二つの閉断面が接続する部分の内部にバルクヘッドを配置することで．リヤフレームからの荷重を開口下部フレームに伝達することが考えられる。
【０００５】
この場合、車体後部の開口部の位置が高くなると、リヤフレームからの荷重を開口下部フレームに確実に伝達するには、バルクヘッドの下端がリヤフレームに近接するように該バルクヘッドの寸法を上下方向に拡大することが必要になり、バルクヘッドの大型化による重量増加が問題となる。
【０００６】
本発明は前述の事情に鑑みてなされたもので、リヤピラーおよび開口下部フレームの接続部に配置したバルクヘッドを大型化することなく、リヤフレームの荷重を開口下部フレームに確実に伝達できるようにすることを目的とする。
【課題を解決するための手段】
【０００７】
上記目的を達成するために、請求項１に記載された発明によれば、車体側部に沿って前後方向に配置されたリヤフレームの後端に立設した閉断面のリヤピラーを、平板状のガータパネルと、後方に開口する断面コ字状のガータスチフナとを結合して構成するとともに、車体後部の開口部の下縁となる開口下部フレームを、平板状のリヤエンドパネルの上縁と、後方に開口する断面コ字状のリヤエンドパネルスチフナとを結合して構成した車体後部構造であって、前記リヤフレームの後端部上面に、後方に開放する断面コ字状のリヤフレームガセットの下端を結合すると共に、そのリヤフレームガセットの上端に前記ガータスチフナの下端を結合し、前記リヤピラーの閉断面と前記開口下部フレームの閉断面とを接続部において相互に接続し、前記後方に開放するガータスチフナは、前記接続部に臨むように配置されて前記リヤフレームガセットおよび前記開口下部フレーム間を接続する内壁を備えていて、この内壁に、前記開口下部フレームの閉断面を拘束するバルクヘッドを結合したことを特徴とする車体後部構造が提案される。
【０００８】
また請求項２に記載された発明によれば、請求項１の構成に加えて、前記ガータスチフナの前記内壁は前記リヤフレームから前記開口下部フレームに向かって車体内側に湾曲することを特徴とする車体後部構造が提案される。
【０００９】
また請求項３に記載された発明によれば、請求項１または請求項２の構成に加えて、前記リヤエンドパネルは上下方向に延びる縦稜線において屈曲しており、前記縦稜線の上方への延長線の近傍に前記バルクヘッドが配置されることを特徴とする車体後部構造が提案される。
【００１０】
また請求項４に記載された発明によれば、請求項１〜請求項３の何れか１項の構成に加えて、前記バルクヘッドの下端を車体内向きに折り曲げた下部フランジと、前記内壁の上端を車体内向きに折り曲げた上部フランジ部とを結合したことを特徴とする車体後部構造が提案される。
【００１１】
また請求項５に記載された発明によれば、請求項１〜請求項４の何れか１項の構成に加えて、前記バルクヘッドは、前記リヤピラーの閉断面の４面に結合される４個のフランジを備えることを特徴とする車体後部構造が提案される。
【００１２】
また請求項６に記載された発明によれば、請求項１〜請求項５の何れか１項の構成に加えて、前記リヤエンドパネルの上縁には、前記バルクヘッドの後部の形状に倣って後方に膨出する膨出部が形成されることを特徴とする車体後部構造が提案される。
【００１３】
尚、実施の形態のガータロアパネル１９は本発明のロアパネルに対応し、実施の形態の下部内壁２０ｄは本発明の内壁に対応し、実施の形態の下部リヤピラー２１は本発明のリヤピラーに対応し、実施の形態の第１バルクヘッド３３は本発明のバルクヘッドに対応し、実施の形態の前部フランジ３３ａ、上部フランジ３３ｂ、後部フランジ３３ｃおよび下部フランジ３３ｄは本発明のフランジに対応する。
【発明の効果】
【００１４】
請求項１の構成によれば、平板状のガータパネルに結合されてリヤピラーを構成する、後方に開放した断面コ字状のガータスチフナが、リヤピラーの閉断面と開口下部フレームの閉断面との接続部に臨むように配置されてリヤフレームガセットおよび開口下部フレーム間を接続する内壁を備えており、この内壁に、開口下部フレームの閉断面を拘束するバルクヘッドを結合するので、バルクヘッドを大型化することなくリヤフレームからの荷重をガータスチフナの内壁を介して開口下部フレームに伝達するとともに、バルクヘッドでリヤピラーの閉断面および開口下部フレームの閉断面を拘束して荷重伝達効率を高めることができる。
【００１５】
また請求項２の構成によれば、ガータスチフナの内壁はリヤフレームから開口下部フレームに向かって車体内側に湾曲するので、リヤフレームから開口下部フレームへの荷重伝達をスムーズに行うことができる。
【００１６】
また請求項３の構成によれば、リヤエンドパネルは上下方向に延びる縦稜線において屈曲しており、その縦稜線の上方への延長線の近傍にバルクヘッドが配置したので、剛性の高いリヤエンドパネルの縦稜線をバルクヘッドに対する荷重伝達経路に利用することができる。
【００１７】
また請求項４の構成によれば、バルクヘッドの下端を車体内向きに折り曲げた下部フランジと、ガータスチフナの内壁の上端を車体内向きに折り曲げた上部フランジ部とを結合するので、バルクヘッドの下端をできるだけガータスチフナの内壁に接近させて荷重伝達効率を高めることができる。
【００１８】
また請求項５の構成によれば、バルクヘッドがリヤピラーの閉断面の４面に結合される４個のフランジを備えるので、バルクヘッドをリヤピラーに強固に結合して剛性向上効果を更に高めることができる。
【００１９】
また請求項６の構成によれば、リヤエンドパネルの上縁にバルクヘッドの後部の形状に倣って後方に膨出する膨出部を形成したので、リヤエンドパネルの上縁とリヤエンドパネルスチフナとによって閉断面に構成される開口下部フレームの断面積を増加させて剛性を高めることができる。
【図面の簡単な説明】
【００２０】
【図１】５ドア車両を左後方から見た図。
【図２】図１の２方向矢視図。
【図３】図２の３方向矢視図。
【図４】図２の４Ａ方向矢視図および図４Ａからリヤエンドパネルを除去した図。
【図５】図４Ａの分解斜視図。
【図６】図３の６−６線断面図。
【図７】図３の７−７線断面図。
【図８】図３の８−８線断面図。
【図９】図４Ｂの９部拡大図。
【図１０】図２の１０方向矢視図。
【図１１】図１０の１１Ａ−１１Ａ断面図および１１Ｂ−１１Ｂ断面図。
【図１２】図１０の１２方向矢視図。
【発明を実施するための形態】
【００２１】
以下、図１〜図１２に基づいて本発明の実施の形態を説明する。
【００２２】
図１に示すように、５ドア車両の後面には、車体後部に設けられた荷室１１の開口部１２を開閉するリヤゲート１３が上下開閉自在に設けられる。開口部１２の左右両側縁は左右のリヤピラー１４，１４によって区画され、開口部１２の上縁はルーフパネル１５の後縁によって区画され．開口部１２の下縁はリヤバンパー１６によって区画される。５ドア車両の車体構造は車体中心線を挟んで左右対称であるため、以下、代表として左半部の構造を説明する。
【００２３】
図２〜図５に示すように、開口部１２の下方のリヤバンパー１６で覆われる部分には、車体左右方向に長い矩形状のリヤエンドパネル１７が配置される。リヤエンドパネル１７の上縁の前面には、前壁１８ａ、上壁１８ｂおよび下壁１８ｃを有して車体後方に開口するコ字状断面のリヤエンドパネルスチフナ１８が結合されて閉断面の開口下部フレーム３０を構成する。リヤエンドパネル１７の左端（左右方向外端）には概ね平板状のガータロアパネル１９が結合され、ガータロアパネル１９の前面には、前壁２０ａ、外壁２０ｂ、上部内壁２０ｃおよび下部内壁２０ｄを有して車体後方に開口するコ字状断面のガータスチフナ２０が結合される。その際に、ガータスチフナ２０の前壁２０ａ、上部内壁２０ｃおよび下部内壁２０ｄは、それぞれリヤエンドパネルスチフナ１８の前壁１８ａ、上壁１８ｂおよび下壁１８ｃに接続する。ガータロアパネル１９およびガータスチフナ２０は、リヤピラー１４の下半部である下部リヤピラー２１を構成する。
【００２４】
車体左側部に沿って前後方向に配置されたボックス断面のリヤフレーム２２の後端部の上面に、後方に開放するコ字状断面のリヤフレームガセット２３の下端が結合され、リヤフレームガセット２３の上端にガータスチフナ２０の下端が結合される。またリヤフレーム２２の右側面にはリヤエンドパネル１７の左端と、荷室１１の床面を構成するフロアパネル２４の上向きに湾曲する上縁とが結合される。リヤエンドパネル１７、リヤフレーム２２およびフロアパネル２４の接続部に、荷室１１の内部側からリヤフレームエンドパッチ３１が当てがわれて補強される（図１２参照）。またリヤエンドパネルスチフナ１８の左右方向中央部とフロアパネル２４とが、リヤエンドパネル１７の前面に沿って上下方向に延びる帯状のステー２５で連結される。
【００２５】
図３〜図７に示すように、リヤエンドパネル１７の本体部１７ａは概ね平板状の部材であって、その上縁に沿って後方に張り出す膨出部１７ｊがリヤエンドパネルスチフナ１８と協働して閉断面を構成する。リヤエンドパネル１７の左半部および右半部は、それぞれ上下方向に延びる４本の縦稜線１７ｂ，１７ｃ，１７ｄ，１７ｅを備えており、これらの縦稜線１７ｂ，１７ｃ，１７ｄ，１７ｅにおいて前後方向に屈曲することで．リヤエンドパネル１７は全体として左右方向中央部が後方に突出するように緩く湾曲して面剛性が高められる。
【００２６】
左右方向外側から２番目の縦稜線１７ｃの下端から左右方向外側に向かって２本の横稜線１７ｆ，１７ｇが間隔を広げながら延びており、その先端側（左右方向外側）は上方に湾曲する。上側の横稜線１７ｆは下側の横稜線１７ｇよりも後方に位置しており、従って２本の縦稜線１７ｃ，１７ｄおよび２本の横稜線１７ｆ，１７ｇの間にＬ字状の傾斜面１７ｈが形成される。リヤエンドパネル１７は全体として鉛直に配置されるが、傾斜面１７ｈは前面側が斜め上方を向き、後面側が斜め下方を向くように傾斜する。
【００２７】
リヤエンドパネル１７の左右方向外側から２番目の縦稜線１７ｃの僅かに外側位置、つまり傾斜面１７ｈの左右方向内端の近傍に前方に向かって窪む凹部１７ｉが上方に向かって延びており、この凹部にＬ字状の取付ブラケット２６がボルト２７，２７で固定される。またリヤエンドパネル１７の膨出部１７ｊの後面に断面Ｌ字状の取付ブラケット２８がボルト２９…で固定される。そして下側の取付ブラケット２６および上側の取付ブラケット２８にリヤバンパー１６が固定される。
【００２８】
図３〜図５および図９から明らかなように、ガータロアパネル１９およびガータスチフナ２０を結合した下部リヤピラー２１と、リヤエンドパネル１７およびリヤエンドパネルスチフナ１８を結合した開口下部フレーム３０とが接続される接続部３２に臨むように、閉断面を構成するガータロアパネル１９およびガータスチフナ２０の内部に第１バルクヘッド３３が配置される。第１バルクヘッド３３は左右方向内向きの前部フランジ３３ａと、左右方向外向きの上部フランジ３３ｂと、左右方向外向きの後部フランジ３３ｃと、左右方向内向きの下部フランジ３３ｄとを備えており、前部フランジ３３ａはガータスチフナ２０の前壁２０ａに結合され、上部フランジ３３ｂはガータスチフナ２０の上部内壁２０ｃに結合され、後部フランジ３３ｃはガータロアパネル１９に結合され、下部フランジ３３ｄはガータスチフナ２０の下部内壁２０ｄに結合される。
【００２９】
図４、図５および図１１（Ｂ）に示すように、ガータロアパネル１９およびガータスチフナ２０を結合して閉断面に構成された下部リヤピラー２１の上部に、第２バルクヘッド３４が配置される。第２バルクヘッド３４は上向きの前部フランジ３４ａと、下向きの内側フランジ３４ｂと、下向きの後部フランジ３４ｃと、下向きの外側フランジ３４ｄとを備えており、前部フランジ３４ａはガータスチフナ２０の前壁２０ａに結合され、内側フランジ３４ｂはガータスチフナ２０の上部内壁２０ｃに結合され、後部フランジ３４ｃはガータロアパネル１９に結合され、外側フランジ３４ｄはガータスチフナ２０の外壁２０ｂに結合される。
【００３０】
図１０に示すように、リヤピラー１４は、下部リヤピラー２１の上部に接続部３５を介して接続される上部リヤピラー３６を備える。図１１（Ｂ）に示すように、下部リヤピラー２１は平板状のガータロアパネル１９の前部に断面コ字状のガータスチフナ２０を結合して閉断面に構成されるのに対し、図１１（Ａ）に示すように、上部リヤピラー３６は、後壁３７ａおよび外壁３７ｂを有して断面Ｌ字状に形成されたリヤピラーアウター３７と、前壁３８ａおよび内壁３８ｂを有して断面Ｌ字状に形成されたリヤピラーインナー３８とを結合して閉断面に構成される。リヤピラーアウター３７の後壁３７ａは、ガータロアパネル１９の上端に接続されたガータミッドパネル３９（図３、図５および図１１（Ａ）参照）により覆われ、リヤピラーアウター３７の外壁３７ｂは、サイドパネル組立体４０（図３および図１１（Ａ）参照）により覆われる。
【００３１】
またガータスチフナ２０の上部は基本的に前壁２０ａ、外壁２０ｂおよび上部内壁２０ｃを有してコ字状断面に形成されるが（図１１（Ｂ）参照）、その上端の接続部３５の近傍では外壁２０ｂが上側ほど幅狭になるように切り欠かれており、接続部３５の位置では前壁２０ａおよび上部内壁２０ｃによってＬ字状断面に形成される（図１１（Ａ）参照）。そしてガータスチフナ２０の前壁２０ａおよび上部内壁２０ｃの内側に、リヤピラーインナー３８が重ね合わされて結合される（図１１（Ａ）参照）。そのとき、ガータスチフナ２０の前壁２０ａからリヤピラーインナー３８の前壁３８ａが左右方向外側に突出してフランジ３８ｃを形成しており、このフランジ３８ｃの後面に、リヤピラーアウター３７の外壁３７ｂを左右方向外側に折り曲げて形成したフランジ３７ｃが重ね合わされて結合される。またリヤピラーアウター３７の後壁３７ａの左右方向内端を後方に折り曲げて形成したフランジ３７ｄと、リヤピラーインナー３８の内壁３８ｂの後端のフランジ３８ｄとが重ね合わされて結合される。
【００３２】
次に、上記構成を備えた本発明の実施の形態の作用を説明する。
【００３３】
自動車が路面の段差を乗り超えたり高速で旋回したりして左右のリヤフレーム２２，２２の後端が撓むと、そこに左右両端部を接続されたリヤエンドパネル１７に曲げ荷重が入力する。リヤエンドパネル１７は面剛性を高めるために複数の縦稜線１７ｂ，１７ｃ，１７ｄ，１７ｅにおいて前後方向に屈曲しているため、前記曲げ荷重が入力したときに縦稜線１７ｂ，１７ｃ，１７ｄ，１７ｅの下端が折れの基端となって剛性が低下する可能性がある。しかしながら、本実施の形態によれば、リヤエンドパネル１７は、２本の縦稜線１７ｂ，１７ｃの下部間を接続するように左右方向に延びる２本の横稜線１７ｆ，１７ｇに挟まれた傾斜面１７ｈを備え、傾斜面１７ｈは鉛直方向に対して前後方向に傾斜するので、縦稜線１７ｆ，１７ｇの下部が折れの起点になって剛性が低下するのを傾斜面１７ｈにより防止することができ、これによりパッチのような補強部材を用いることなくリヤエンドパネル１７の剛性向上が可能になる。
【００３４】
また傾斜面１７ｈを区画する上下の横稜線１７ｆ，１７ｇのうち、上側の横稜線１７ｆは下側の横稜線１７ｇよりも後方に位置し、かつ傾斜面１７ｈは車体外側部分が上向きに延びてＬ字状に形成されるので、リヤエンドパネル１７の下部および左右両側部に対して中央部を後方に張り出して荷室１１の容積を最大限に拡大することができる。
【００３５】
しかもリヤエンドパネル１７の上縁に沿ってリヤエンドパネルスチフナ１８を結合して補強したので、リヤエンドパネル１７の下部を傾斜面１７ｈで補強したことと相まって、リヤエンドパネル１７全体の剛性を高めることができる。更に、リヤエンドパネル１７の後面に上側の横稜線１７ｆから上方に延びる凹部１７ｉを形成し、この凹部１７ｉに固定した取付ブラケット２６にリヤバンパー１６の下端を固定したので、リヤエンドパネル１７に対する取付ブラケット２６の支持剛性を高めてリヤバンパー１６の取付位置の精度を高めることができる。
【００３６】
また下部リヤピラー２１の閉断面と開口下部フレーム３０の閉断面とが接続される接続部３２の近傍で、ガータスチフナ２０はリヤフレーム２２および開口下部フレーム３０を接続する下部内壁２０ｄを備えており、接続部３２に臨む下部内壁２０ｄに開口下部フレーム３０の閉断面を拘束する第１バルクヘッド３３を結合するので、図９に矢印で示すように、第１バルクヘッド３３を大型化することなくリヤフレーム２２からの荷重をガータスチフナ２０の下部内壁２０ｄを介して開口下部フレーム３０に伝達することができる。しかも、その際に第１バルクヘッド３３は下部リヤピラー２１の閉断面および開口下部フレーム３０の閉断面を共に拘束して荷重伝達効率を高めることができる。
【００３７】
またガータスチフナ２０の下部内壁２０ｄはリヤフレーム２２から開口下部フレーム３０に向かって滑らかに車体内側に湾曲するので（図５参照）、下部内壁２０ｄが直角に折れ曲がる場合に比べて、リヤフレーム２２から開口下部フレーム３０への荷重伝達をスムーズに行うことができる。
【００３８】
また第１バルクヘッド３３は前部フランジ３３ａ、上部フランジ３３ｂ、後部フランジ３３ｃおよび下部フランジ３３ｄによって下部リヤピラー２１の閉断面の４面に結合されるので、第１バルクヘッド３３を下部リヤピラー２１に強固に結合して剛性向上効果を更に高めることができる。このとき、第１バルクヘッド３３の下端を車体内向きに折り曲げた下部フランジ３３ｄと、ガータスチフナ２０の下部内壁２０ｄの上端を車体内向きに折り曲げた上部フランジ部２０ｅとを結合するので（図９参照）、第１バルクヘッド３３の下端をガータスチフナ２０の下部内壁２０ｄに接近させて荷重伝達効率を高めることができる。
【００３９】
またリヤエンドパネル１７は縦稜線１７ｂによって面剛性を高められているが、その縦稜線１７ｂの上方への延長線の近傍に第１バルクヘッド３３を配置したので（図３参照）、リヤエンドパネル１７の縦稜線１７ｂを第１バルクヘッド３３に対する荷重伝達経路に利用することができる。更に、リヤエンドパネル１７の上縁に第１バルクヘッド３３の後部の形状に倣って後方に膨出する膨出部１７ｊ（図５参照）を形成したので、リヤエンドパネル１７の上縁とリヤエンドパネルスチフナ１８とによって閉断面に構成される開口下部フレーム３０の断面積を増加させて剛性を高めることができる。
【００４０】
図１１（Ａ）に示すように、上部リヤピラー３６は、後壁３７ａおよび外壁３７ｂを有する断面Ｌ字状のリヤピラーアウター３７と、前壁３８ａおよび内壁３８ｂを有する断面Ｌ字状のリヤピラーインナー３８とを結合して閉断面に構成されるが、リヤピラーインナー３８の前壁３８ａから車体外側に延びるフランジ３８ｃと、リヤピラーアウター３７の外壁３７ｂから車体外側に延びるフランジ３７ｃとが結合されるので、前記両フランジ３８ｃ，３７ｃが車体外側に延びて車体前方に延びることがなく、前方の荷室１１の容積を圧迫するのを防止することができる。
【００４１】
下部リヤピラー２１のガータスチフナ２０は基本的に前壁２０ａ、外壁２０ｂおよび上部内壁２０ｃを有してコ字状断面に形成されているが、上部リヤピラー３６との接続部３５の近傍では外壁２０ｂが斜めに切り欠かれてＬ字状断面になっているため（図１０および図１１参照）、リヤピラーインナー３８に対してリヤピラーアウター３７を左右方向外側から接近させて組付ける際に、リヤピラーアウター３７がガータスチフナ２０の外壁２０ｂと干渉して組付けの妨げになるのを防止することができる。しかもガータスチフナ２０の外壁２０ｂは上方側ほど幅が狭くなるように斜めに切り欠かれるので、ガータスチフナ２０の外壁２０ｂを切り欠いたことによる強度の急変を防止することができる。
【００４２】
また図１１（Ａ）に示すように、リヤピラーアウター３７の後壁３７ａから車体後側に延びるフランジ３７ｄと、リヤピラーインナー３８の内壁３８ｂから車体後方に延びるフランジ３８ｄとを結合するので、リヤピラーインナー３８に対してリヤピラーアウター３７を左右方向外側から接近させるだけで組付けることが可能になって組付け性が向上する。
【００４３】
また下部ピラー２１および上部ピラー３６の接続部３５の近傍において、下部リヤピラー２１の内部に第２バルクヘッド３４を設けたので、バルクヘッド３４によりリヤピラー１４の剛性を更に高めることができる。更に、ガータロアパネル１９が開口部１２の下縁を補強するリヤエンドパネルスチフナ１８に結合されるので、リヤピラー１４の剛性を更に高めることができる。
【００４４】
以上、本発明の実施の形態を説明したが、本発明はその要旨を逸脱しない範囲で種々の設計変更を行うことが可能である。
【００４５】
例えば、第１バルクヘッド３３の形状は実施の形態に限定されるものではなく、適宜変更可能である。
【符号の説明】
【００４６】
１２        開口部
１７        リヤエンドパネル
１７ｃ      稜線
１８        リヤエンドパネルスチフナ
１９        ガータロアパネル（ガータパネル）
２０        ガータスチフナ
２０ｄ      下部内壁（内壁）
２０ｅ      上部フランジ
２１        下部リヤピラー（リヤピラー）
２２        リヤフレーム
２３ リヤフレームガセット
３０        開口下部フレーム
３２        接続部
３３        第１バルクヘッド（バルクヘッド）
３３ａ      前部フランジ（フランジ）
３３ｂ      上部フランジ（フランジ）
３３ｃ      後部フランジ（フランジ）
３３ｄ      下部フランジ（フランジ）
【図１】
0005189623.tif 000002
【図２】
0005189623.tif 000003
【図３】
0005189623.tif 000004
【図４】
0005189623.tif 000005
【図５】
0005189623.tif 000006
【図６】
0005189623.tif 000007
【図７】
0005189623.tif 000008
【図８】
0005189623.tif 000009
【図９】
0005189623.tif 000010
【図１０】
0005189623.tif 000011
【図１１】
0005189623.tif 000012
【図１２】
0005189623.tif 000013